【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
文字列データを保持する保持手段と、
該保持手段に保持されている文字列データに応じた表示を表示手段に表示させる際に，該文字列データ中の改行コードの種類にかかわらず当該改行コードの位置で改行して表示させる改行表示制御手段と、
前記保持手段に保持されている文字列データの送信が指示された際に，前記保持手段に保持されている前記文字列データ中の改行コードの種類を判定する判定手段と、
該判定手段により判定した改行コードの種類がいずれの種類の改行コードを用いた装置においても改行処理を実行し得る所定の種類である場合には保持手段に保持されている文字列データをそのまま出力し，改行コードの種類が前記所定の種類でない場合には当該文字列データ中の改行コードの種類を所定の種類の改行コードに変換して出力する変換手段と、
該変換手段からの文字列データを送信する送信手段と
を備えることを特徴とする情報端末装置。
【請求項２】
複数のネットワークのいずれかを介して接続される装置から文字列データを受信する受信手段と、
該受信手段が受信した文字列データを保持する保持手段と、
該保持手段に保持されている文字列データの転送が指示された際に，前記保持手段に保持されている文字列データ中の改行コードの種類を判定する判定手段と、
該判定手段により判定した改行コードが所定の種類である場合には保持手段に保持されている文字例データをそのまま出力し，改行コードの種類が所定の種類でない場合には当該文字列データ中の改行コードの種類を所定の種類の改行コードに変換して出力する変換手段と、
該変換手段からの文字列データを，前記いずれかのネットワークを介して接続される装置に転送する転送手段と
を備えることを特徴とする情報端末装置。
【請求項３】
前記文字列データは、電子メールのメッセージ又はページ記述データであることを特徴とする請求項１又は請求項２に記載の情報端末装置。
【請求項４】
供給された画像データに応じた文字を表示する表示手段と、
少なくとも１つの文字コード体系に対応する文字の書体データ（画像データ）を保持する文字記憶手段と、
指定された文字コードに対応する書体データが前記文字記憶手段中にある場合には当該書体データを供給し，指定された文字コードに対応する書体データが前記文字記憶手段中にない場合には当該文字コードに対応すべき画像データの表示幅に応じた表示幅の代替記号の画像データを供給する画像データ供給手段と、
前記保持手段に保持されている文字列データ中の文字コードを指定して前記画像データ供給手段から当該文字コードに対応する書体データを取得し，当該書体データを前記表示手段に供給して当該文字コードに対応する文字の表示位置に表示させる表示制御手段と
を備えることを特徴とする請求項１又は請求項２に記載の情報端末装置。
【請求項５】
供給された画像データに応じた文字を表示する表示手段と、
少なくとも１つの文字コード体系に対応する文字の書体データ（画像データ）を保持する文字記憶手段と、
指定された文字コードに対応する書体データが前記文字記憶手段中にある場合には当該書体データを供給し，指定された文字コードに対応する書体データが前記文字記憶手段中にない場合には当該文字コードに対応すべき画像データの表示幅に応じた表示幅の代替記号の画像データを供給する画像データ供給手段と、
表示対象の文字列データ中の文字コードを指定して前記画像データ供給手段から当該文字コードに対応する書体データを取得し，当該書体データを前記表示手段に供給して当該文字コードに対応する文字の表示位置に表示させる表示制御手段と
を備えることを特徴とする情報端末装置。
【請求項６】
前記文字記憶手段に格納されている書体データが「等幅フォント」であり、
前記画像データ供給手段は、前記指示された文字コードが半角文字又は全角文字であることを判定する判定手段を備え、該判定手段の判定結果に基づいて全角文字か半角文字かに応じた表示幅の代替記号の画像データを供給する
ことを特徴とする請求項５記載の情報端末装置。
【請求項７】
前記表示手段に表示されている文字列データの複製が指示された際に、該複製指示された文字列データ中の前記代替記号が表示されている部分に相当する文字コードを代替記号に対応する文字コードとして複製する置換手段
を備えることを特徴とする請求項５又は請求項６に記載の情報端末装置。
【請求項８】
供給された画像データに応じた文字を表示する表示手段と、
少なくとも１つの文字コード体系に対応する文字の書体データ（画像データ）を保持する文字記憶手段と、
指定された文字コードに対応する書体データが前記文字記憶手段中にある場合には当該書体データを供給し，指定された文字コードに対応する書体データが前記文字記憶手段中にない場合には当該文字コードに対応すべき画像データの表示幅に応じた表示幅の代替記号の画像データを供給する画像データ供給手段と、
文字列データを保持する保持手段と、
該保持手段に保持されている文字列データ中の文字コードを指定して前記画像データ供給手段から当該文字コードに対応する書体データを取得し，当該書体データを前記表示手段に供給して当該文字コードに対応する文字の表示位置に表示させる表示制御手段とを備え、
該表示制御手段は，前記保持手段に保持されている文字列データ中の改行コードの種類にかかわらず当該改行コードの位置で改行して表示させる改行表示制御手段を備えることを特徴とする情報端末装置。
【手続補正２】
【補正対象書類名】明細書
【補正対象項目名】０００９
【補正方法】変更
【補正の内容】
【０００９】
上述の問題を解決するために、本発明の請求項１に係る情報端末装置は、文字列データを保持する保持手段と、保持手段に保持されている文字列データに応じた表示を表示手段に表示させる際に，文字列データ中の改行コードの種類にかかわらず当該改行コードの位置で改行して表示させる改行表示制御手段と、保持手段に保持されている文字列データの送信が指示された際に，保持手段に保持されている文字列データ中の改行コードの種類を判定する判定手段と、判定手段により判定した改行コードの種類がいずれの種類の改行コードを用いた装置においても改行処理を実行し得る所定の種類である場合には保持手段に保持されている文字列データをそのまま出力し，改行コードの種類が所定の種類でない場合には当該文字列データ中の改行コードの種類を所定の種類の改行コードに変換して出力する変換手段と、変換手段からの文字列データを送信する送信手段とを備えることを特徴とする。この情報端末装置では、改行表示制御手段が、文字列データを表示する際に、文字列データ中の改行コードの種類にかかわらず改行コードに応じて改行して表示させる。
【手続補正３】
【補正対象書類名】明細書
【補正対象項目名】００１０
【補正方法】変更
【補正の内容】
【００１０】
また、本発明の請求項２に係る情報端末装置は、複数のネットワークのいずれかを介して接続される装置から文字列データを受信する受信手段と、受信手段が受信した文字列データを保持する保持手段と、保持手段に保持されている文字列データの転送が指示された際に，保持手段に保持されている文字列データ中の改行コードの種類を判定する判定手段と、判定手段により判定した改行コードが所定の種類である場合には保持手段に保持されている文字例データをそのまま出力し，改行コードの種類が所定の種類でない場合には当該文字列データ中の改行コードの種類を所定の種類の改行コードに変換して出力する変換手段と、変換手段からの文字列データを，いずれかのネットワークを介して接続される装置に転送する転送手段とを備えることを特徴とする。この情報端末装置では、転送手段が文字列データを転送する際に，判定手段により判定した改行コードが所定の種類でない場合には変換手段が当該改行コードを所定の種類の改行コードに変換する。
【手続補正４】
【補正対象書類名】明細書
【補正対象項目名】００１１
【補正方法】変更
【補正の内容】
【００１１】
また、本発明の請求項５に係る情報端末装置は、供給された画像データに応じた文字を表示する表示手段と、少なくとも１つの文字コード体系に対応する文字の書体データ（画像データ）を保持する文字記憶手段と、指定された文字コードに対応する書体データが文字記憶手段中にある場合には当該書体データを供給し，指定された文字コードに対応する書体データが文字記憶手段中にない場合には当該文字コードに対応すべき画像データの表示幅に応じた表示幅の代替記号の画像データを供給する画像データ供給手段と、表示対象の文字列データ中の文字コードを指定して画像データ供給手段から当該文字コードに対応する書体データを取得し，当該書体データを前記表示手段に供給して当該文字コードに対応する文字の表示位置に表示させる表示制御手段とを備えることを特徴とする。この情報端末装置では、画像データ供給手段が、指定された文字コードに対応する書体データが文字記憶手段中にある場合には当該書体データを供給し，指定された文字コードに対応する書体データが文字記憶手段中にない場合には当該文字コードの表示幅に応じた表示幅の代替記号の画像データを供給し、表示制御手段が、画像データ供給手段からの書体データを表示手段に供給して当該文字コードに対応する文字の表示位置に表示させる。
【手続補正５】
【補正対象書類名】明細書
【補正対象項目名】００１２
【補正方法】変更
【補正の内容】
【００１２】
また、本発明の請求項８に係る情報端末装置は、供給された画像データに応じた文字を表示する表示手段と、少なくとも１つの文字コード体系に対応する文字の書体データ（画像データ）を保持する文字記憶手段と、指定された文字コードに対応する書体データが文字記憶手段中にある場合には当該書体データを供給し，指定された文字コードに対応する書体データが文字記憶手段中にない場合には当該文字コードに対応すべき画像データの表示幅に応じた表示幅の代替記号の画像データを供給する画像データ供給手段と、文字列データを保持する保持手段と、保持手段に保持されている文字列データ中の文字コードを指定して画像データ供給手段から当該文字コードに対応する書体データを取得し，当該書体データを表示手段に供給して当該文字コードに対応する文字の表示位置に表示させる表示制御手段とを備え、表示制御手段は，保持手段に保持されている文字列データ中の改行コードの種類にかかわらず当該改行コードの位置で改行して表示させる改行表示制御手段を備えることを特徴とする。この情報端末装置では、画像データ供給手段が、指定された文字コードに対応する書体データが文字記憶手段中にある場合には当該書体データを供給し，指定された文字コードに対応する書体データが文字記憶手段中にない場合には当該文字コードの表示幅に応じた表示幅の代替記号の画像データを供給し、表示制御手段が、画像データ供給手段からの書体データを表示手段に供給して当該文字コードに対応する文字の表示位置に表示させると共に文字列データ中の改行コードの種類にかかわらず改行コードに応じて改行して表示させる。
【手続補正６】
【補正対象書類名】明細書
【補正対象項目名】００１５
【補正方法】変更
【補正の内容】
【００１５】
本発明の請求項５に係る情報端末装置では、表示制御手段が、表示対象の文字列データ中の文字に対応する書体データが文字記憶手段中にない場合に、当該文字の表示位置に空白を表示させることにより、元文字列データのレイアウトに沿った表示に寄与することができる。
【手続補正７】
【補正対象書類名】明細書
【補正対象項目名】００１６
【補正方法】変更
【補正の内容】
【００１６】
本発明の請求項８に係る情報端末装置では、画像データ供給手段が、指定された文字コードに対応する書体データが文字記憶手段中にある場合には当該書体データを供給し，指定された文字コードに対応する書体データが文字記憶手段中にない場合には当該文字コードの表示幅に応じた表示幅の代替記号の画像データを供給し、表示制御手段が、画像データ供給手段からの書体データを表示手段に供給して当該文字コードに対応する文字の表示位置に表示させると共に文字列データ中の改行コードの種類にかかわらず改行コードに応じて改行して表示させることにより、元文字列データのレイアウトに沿った表示に寄与することができる。